(57)【要約】【課題】低コストで軽量な防煙垂れ壁を提供する。【解決手段】天井面１から下方に垂設されて防煙区画を形成する防煙垂れ壁Ａであって、鋼板で形成し、且つ、天井下地５とこの天井下地５に取り付けて天井面１を形成する天井材４との間に挟み込むように介装され、天井下地５に固着される垂れ壁取付部１０と、垂れ壁取付部１０に上端が繋がり、天井面１から下方に垂設されて防煙区画を形成する垂れ壁本体部１１と、垂れ壁本体部１１の下端から上方に折り曲げるように斜設された折り返し部１２とを備えて形成する。【選択図】図１
2015100402.tif 000002
【特許請求の範囲】
【請求項１】
天井面から下方に垂設されて防煙区画を形成する防煙垂れ壁であって、
鋼板で形成され、
且つ、天井下地と該天井下地に取り付けて天井面を形成する天井材との間に挟み込むように介装され、前記天井下地に固着される垂れ壁取付部と、
前記垂れ壁取付部に上端が繋がり、天井面から下方に垂設されて防煙区画を形成する垂れ壁本体部と、
前記垂れ壁本体部の下端から上方に折り曲げるように斜設された折り返し部とを備えて形成されていることを特徴とする防煙垂れ壁。
【発明の詳細な説明】
【技術分野】
【０００１】
本発明は、防煙垂れ壁に関する。
【背景技術】
【０００２】
建築基準法では、火災時に発生する一酸化炭素やその他の有毒ガス、また、これを含む煙が廊下や上階層などに流動して拡散することを一時的に遮断して防止し、避難を容易にするとともに避難に必要な時間を確保するため、所定範囲の区域に防煙区画を設けることが定められている。
【０００３】
そして、例えばオフィスビルやショッピングモールなどでは、不燃材を板状に形成してなる防煙垂れ壁を野縁や野縁受けなど天井下地に支持させつつ天井面から下方向に突出させて設置し、この防煙垂れ壁で防煙区画を形成する手法が多用されている（例えば、特許文献１、特許文献２、特許文献３参照）。
【先行技術文献】
【特許文献】
【０００４】
【特許文献１】特開平９−１０３４６号公報
【特許文献２】特開平９−３２８８３８号公報
【特許文献３】特開２００７−８２７５９号公報
【発明の概要】
【発明が解決しようとする課題】
【０００５】
一方、従来の防煙垂れ壁は、ガラス板やケイカル板などの不燃材を用いて形成されており、コストが非常に高く、また、重量が大きいことから地震時に落下するおそれも考えられ、これらの点で改善の余地が残されていた。
【０００６】
本発明は、上記事情に鑑み、低コストで軽量な防煙垂れ壁を提供することを目的とする。
【課題を解決するための手段】
【０００７】
上記の目的を達するために、この発明は以下の手段を提供している。
【０００８】
本発明の防煙垂れ壁は、天井面から下方に垂設されて防煙区画を形成する防煙垂れ壁であって、鋼板で形成され、且つ、天井下地と該天井下地に取り付けて天井面を形成する天井材との間に挟み込むように介装され、前記天井下地に固着される垂れ壁取付部と、前記垂れ壁取付部に上端が繋がり、天井面から下方に垂設されて防煙区画を形成する垂れ壁本体部と、前記垂れ壁本体部の下端から上方に折り曲げるように斜設された折り返し部とを備えて形成されていることを特徴とする。
【発明の効果】
【０００９】
本発明の防煙垂れ壁においては、例えばガルバリウム鋼板やステンレス鋼板、亜鉛メッキ鋼板、一般的な軟鋼の鋼板、塗装鋼板、カラー鋼板などの鋼板を用いて防煙垂れ壁を形成することで、ガラス等を用いた従来の防煙垂れ壁と比較し、低コスト化を図ることができる。
【００１０】
また、鋼板を用いて形成し、さらに、垂れ壁取付部と垂れ壁本体部と折り返し部とを備え、垂れ壁取付部を天井下地と天井材（天井パネル）の間に挟み込み、例えば天井面側から天井材、垂れ壁取付部、天井下地にビスを打込むことで、容易に防煙垂れ壁を設置することができる。このため、従来の防煙垂れ壁と比較し、施工コストにおいても低コスト化を図ることが可能になる。
【００１１】
さらに、垂れ壁本体部の下端から上方に折り曲げるように折り返し部が斜設されているため、防煙区画を形成する垂れ壁本体部の下端側を折り返し部で補強することができ、例えば厚さが１ｍｍ程度以下の鋼板を用いた場合であっても、垂れ壁本体部の下端側に歪み等が発生することを防止でき、外観を損なうことを防止できる。
【図面の簡単な説明】
【００１２】
【図１】本発明の一実施形態に係る防煙垂れ壁を天井部に設置した状態を示す斜視図である。
【図２】本発明の一実施形態に係る防煙垂れ壁を示す左側面図である。
【図３】本発明の一実施形態に係る防煙垂れ壁を示す右側面図である。
【図４】本発明の一実施形態に係る防煙垂れ壁を示す正面図である。
【図５】本発明の一実施形態に係る防煙垂れ壁を示す背面図である。
【図６】本発明の一実施形態に係る防煙垂れ壁を示す上面図である。
【図７】本発明の一実施形態に係る防煙垂れ壁を示す下面図である。
【図８】本発明の一実施形態に係る防煙垂れ壁を天井部に設置した状態を示す図である。
【図９】本発明の一実施形態に係る防煙垂れ壁を天井部に設置した状態を示す図であり、隣り合う防煙垂れ壁の端部同士の接合部を示す図である。
【図１０】本発明の一実施形態に係る防煙垂れ壁の端部と柱の接合部を示す斜視図である。
【図１１】本発明の一実施形態に係る防煙垂れ壁の端部と柱の接合部を示す断面視図である。
【発明を実施するための形態】
【００１３】
以下、図１から図１１を参照し、本発明の一実施形態に係る防煙垂れ壁について説明する。
【００１４】
はじめに、本実施形態は、例えば、オフィスビル、ショッピングモール、学校、病院、生産施設等の建物の天井面から下方向に突出するように設置することで防煙区画を形成し、火災時に煙や有毒ガスの拡散を防止・抑止する防煙垂れ壁に関するものである。
【００１５】
また、本実施形態では、図１に示すように、天井面１（天井部２）が吊り天井によって形成されているものとして説明を行う。具体的に、本実施形態の建物の天井部２は、水平の一方向Ｔ１に所定の間隔をあけて並設される複数の野縁３と、野縁３に直交し、水平の他方向Ｔ２に所定の間隔をあけて並設され、複数の野縁１に一体に接続して設けられる複数の野縁受け（不図示）と、下端を野縁受けに接続し、上端を上階の床材等の上部構造（建物躯体）に固着して配設される複数の吊りボルト（不図示）と、野縁３の下面にビス留めなどによって一体に取り付けられ、下階の天井面１を形成する天井パネル（天井材）４とを備えて構成されている。また、この建物の天井部２では、野縁３と野縁受けによって天井下地５が構成されている。
【００１６】
そして、このような建物の天井部２に設置されて防煙区画を形成する本実施形態の防煙垂れ壁Ａは、図１、及び図２から図７に示すように、天井下地５とこの天井下地５に取り付けて天井面１を形成する天井材４との間に挟み込むように介装され、天井下地５に固着される垂れ壁取付部１０と、垂れ壁取付部１０に上端が繋がり、天井面１から下方に垂設されて防煙区画を形成する垂れ壁本体部１１と、垂れ壁本体部１１の下端から上方に折り曲げるように斜設された折り返し部１２とを備えて形成されている。
【００１７】
また、本実施形態では、垂れ壁取付部１０が水平方向に延設され、垂れ壁本体部１１が垂れ壁取付部１０に直交して鉛直方向Ｔ３に延設され、折り返し部１２が垂れ壁本体部１１と４５°の角度θで交差するように斜設されている。
【００１８】
さらに、本実施形態では、例えば厚さｔが０．６ｍｍ（１ｍｍ程度以下）の鋼板を折り曲げ加工して防煙垂れ壁Ａが形成されている。ここで、防煙垂れ壁Ａを形成する鋼板としては、例えばガルバリウム鋼板やステンレス鋼板、亜鉛メッキ鋼板、一般的な軟鋼の鋼板、塗装鋼板、カラー鋼板などが挙げられ、特に鋼種を限定する必要はない。また、鋼板に塗装を施した塗装鋼板やカラー鋼板を用いると、防煙垂れ壁Ａを設置した際の外観等を良くすることができる。
【００１９】
また、本実施形態の防煙垂れ壁Ａは、垂れ壁取付部１０の長さを４０ｍｍ、垂れ壁本体部１１の長さを３１０ｍｍ、折り返し部１２の長さを１０ｍｍとし、基本の全長を４０００ｍｍとして形成されている。なお、防煙垂れ壁Ａの全長をはじめ、垂れ壁取付部１０、垂れ壁本体部１１、折り返し部１２の長さは適宜状況に応じて設定すればよい。
【００２０】
このように構成した防煙垂れ壁Ａを建物の天井部２に取り付ける際には、図１及び図８に示すように、例えば５×１６ｍｍの平ビスなどの取付ビス１３を打込んで、垂れ壁取付部１０を天井下地５の野縁３に固着する。このとき、取付ビス１３を防煙垂れ壁Ａの長さ方向に５００ｍｍピッチで打込み、垂れ壁取付部１０を天井下地５に固着する。そして、天井下地５との間に垂れ壁取付部１０を挟み込んで介装するように天井材４をビス留めするなどして天井下地５に取り付ける。なお、例えば天井面１側から天井材４、垂れ壁取付部１０、天井下地５にビス１３を打込むことで、垂れ壁取付部１０を天井下地５に固着するようにしてもよい。
【００２１】
そして、このように垂れ壁本体部１０を天井下地５に固着すると、天井面１から鉛直方向Ｔ３下方に垂れ壁本体部１０が突設される。
【００２２】
ここで、垂れ壁取付部１０を天井下地５に固着して取り付ける際に、垂れ壁本体部１０の下端側が波状に撓んでしまうおそれがあるが、本実施形態では、垂れ壁本体部１０の下端側に折り返し部１２を設け、この折り返し部１２によって下端側の剛性が高められているため、波状に撓むようなことがなく、設置後においても防煙垂れ壁Ａの直線性を好適に確保できる。すなわち、下端側が波状に撓むなどして美観を損ねることなく、防煙垂れ壁Ａを設置することができる。
【００２３】
さらに、図１、図９に示すように、互いに隣り合うように設置されて防煙区画を形成する防煙垂れ壁Ａの端部Ａ１、Ａ２同士は、例えば、３０ｍｍの重ね代Ｗで互いの端部Ａ１、Ａ２側を重ね合せるとともに、幅５０ｍｍ、厚さ１ｍｍ程度のアルミテープなどの接合テープ１４を壁面の一面１１ａと他面１１ｂの両面に貼り付けて一体に接合する。
【００２４】
また、建物の柱１５や壁に接する防煙垂れ壁Ａの端部Ａ３においても、図１０及び図１１に示すように、幅５０ｍｍのアルミテープなどの接合テープ１４を壁面の一面１１ａと他面１１ｂの両面及び柱１５や壁の接合面に貼り付けて一体に接合する。なお、アルミテープなどの接合テープ１４としては、使用温度が０〜５０℃、粘着力が１７．１Ｎ／１０ｍｍ、引張強度が６０Ｎ／２０ｍｍのものを用いると好適に防煙垂れ壁Ａを設置できることが確認されている。
【００２５】
そして、上記構成からなる本実施形態の防煙垂れ壁Ａにおいては、例えばガルバリウム鋼板やステンレス鋼板、亜鉛メッキ鋼板、一般的な軟鋼の鋼板、塗装鋼板、カラー鋼板などの鋼板を用いて防煙垂れ壁Ａを形成することで、ガラス等を用いた従来の防煙垂れ壁と比較し、低コスト化を図ることができる。
【００２６】
また、垂れ壁取付部１０と垂れ壁本体部１１と折り返し部１２とを備え、垂れ壁取付部１０を天井下地５に取り付け、天井下地５と天井材４の間に挟み込むことで、容易に防煙垂れ壁Ａを設置することができる。このため、従来の防煙垂れ壁と比較し、施工コストにおいても低コスト化を図ることが可能になる。
【００２７】
さらに、垂れ壁本体部１１の下端から上方に折り曲げるように折り返し部１２が斜設されているため、防煙区画を形成する垂れ壁本体部１１の下端側を折り返し部１２で補強することができる。これにより、例えば厚さが１ｍｍ程度以下の鋼板を用いた場合であっても、取付時や取付後に、垂れ壁本体部１１の下端側に歪みや撓み等が発生することを防止でき、外観を損なうことを防止できる。
【００２８】
以上、本発明に係る防煙垂れ壁の一実施形態について説明したが、本発明は上記の一実施形態に限定されるものではなく、その趣旨を逸脱しない範囲で適宜変更可能である。
【符号の説明】
【００２９】
１      天井面
２      天井部
３      野縁
４      天井材（天井パネル）
５      天井下地
１０    垂れ壁取付部
１１    垂れ壁本体部
１２    折り返し部
１３    取付ビス
１４    接合テープ
１５    柱
Ａ      防煙垂れ壁
Ａ１    端部
Ａ２    端部
Ａ３    端部
Ｔ１    水平の一方向
Ｔ２    一方向に直交する水平の他方向
Ｔ３    鉛直方向
【図１】
2015100402.tif 000003
【図２】
2015100402.tif 000004
【図３】
2015100402.tif 000005
【図４】
2015100402.tif 000006
【図５】
2015100402.tif 000007
【図６】
2015100402.tif 000008
【図７】
2015100402.tif 000009
【図８】
2015100402.tif 000010
【図９】
2015100402.tif 000011
【図１０】
2015100402.tif 000012
【図１１】
2015100402.tif 000013